(57)【要約】【課題】  ビデオ放送のチャネル切替の遅延時間を最小化する衛星ＤＭＢ受信装置及び方法を提供する。【解決手段】  ウォルシュコードに符号化された放送データをＣＤＭ復調するＣＤＭ復調器と符号化された放送データを復号化する放送データチャネル復号部とを備えた衛星ＤＭＢ受信装置において、少なくとも１つ以上の放送チャネルのウォルシュコードをＣＤＭ復調するＣＤＭ復調器と、前記ＣＤＭ復調器から伝送された少なくとも１つ以上の放送チャネルのチャネル別放送データを復号化し、使用者が視聴しようとする放送チャネルを選択する放送データチャネル復号部と、を含むことを特徴とする衛星ＤＭＢ受信装置。【選択図】  図１
2006081176.tif 000002
【特許請求の範囲】
【請求項１】
ウォルシュコードに符号化された放送データをＣＤＭ復調するＣＤＭ復調器と符号化された放送データを復号化する放送データチャネル復号部とを備えた衛星ＤＭＢ受信装置において、
少なくとも１つ以上の放送チャネルのウォルシュコードをＣＤＭ復調するＣＤＭ復調器と、
前記ＣＤＭ復調器から伝送された少なくとも１つ以上の放送チャネルのチャネル別放送データを復号化し、使用者が視聴しようとする放送チャネルを選択する放送データチャネル復号部と、
を含むことを特徴とする衛星ＤＭＢ受信装置。
【請求項２】
前記放送チャネルは、
使用者が視聴するために選択した放送チャネルと、
前記選択した放送チャネルの上位放送チャネル及び下位放送チャネルと、
を含むことを特徴とする請求項１に記載の衛星ＤＭＢ受信装置。
【請求項３】
前記ＣＤＭ復調器は、６つのウォルシュコードをＣＤＭ復調した放送データを、前記放送データチャネル復号部にチャネル別に伝送することを特徴とする請求項１に記載の衛星ＤＭＢ受信装置。
【請求項４】
前記放送データチャネル復号部は、
少なくとも１つ以上の放送チャネルのチャネル別放送データを復号化する第１の復号部と、
前記第１の復号部により復号化された放送チャネルの放送データのうち使用者が選択した放送チャネルの放送データを選択して、復号化過程が行われるようにする選択部と、
を含むことを特徴とする請求項１に記載の衛星ＤＭＢ受信装置。
【請求項５】
前記第１の復号部は、２つのウォルシュコードから復調された放送データを復号化するために、１対の構造からなることを特徴とする請求項４に記載の衛星ＤＭＢ受信装置。
【請求項６】
前記第１の復号部は、使用者が視聴するために選択した放送チャネル、前記選択した放送チャネルの上位放送チャネル及び下位放送チャネルのチャネル別放送データを復号化することを特徴とする請求項４に記載の衛星ＤＭＢ受信装置。
【請求項７】
前記第１の復号部は、３つの放送チャネルの放送データをビットデインターリーブするもので、チャネル別に区分されたビットデインターリーバで構成されることを特徴とする請求項４に記載の衛星ＤＭＢ受信装置。
【請求項８】
前記ビットデインターリーバは、１対のビットデインターリーバからなることを特徴とする請求項７に記載の衛星ＤＭＢ受信装置。
【請求項９】
前記第１の復号部は、少なくとも１つ以上の復号器からなることを特徴とする請求項４に記載の衛星ＤＭＢ受信装置。
【請求項１０】
前記復号器は、
ビットデインターリーバと、
ビタビ復号器と、
バイトデインターリーバと、
リードソロモン復号器と、
から構成されることを特徴とする請求項９に記載の衛星ＤＭＢ受信装置。
【請求項１１】
前記復号器は、少なくとも１つ以上の復号器が１対の構造からなることを特徴とする請求項９に記載の衛星ＤＭＢ受信装置。
【請求項１２】
前記放送データチャネル復号部は、前記選択部により選択された放送チャネルの放送データを復号化するための第２の復号部をさらに含むことを特徴とする請求項４に記載の衛星ＤＭＢ受信装置。
【請求項１３】
前記第２の復号部は、
ビタビ復号器と、
バイトデインターリーバと、
リードソロモン復号器と、
から構成されることを特徴とする請求項１２に記載の衛星ＤＭＢ受信装置。
【請求項１４】
前記第２の復号部を構成する各復号器は、１対の構造からなることを特徴とする請求項１３に記載の衛星ＤＭＢ受信装置。
【請求項１５】
前記選択部は、前記第１の復号部により復号化された３つの放送チャネルの放送データのうち使用者が選択した放送チャネルの放送データを第２の復号部に伝送することを特徴とする請求項４に記載の衛星ＤＭＢ受信装置。
【請求項１６】
ウォルシュコードに符号化された放送データをＣＤＭ復調するＣＤＭ復調器と符号化された放送データを復号化する放送データチャネル復号部とを備えた衛星ＤＭＢ受信装置において、
放送データチャネル復号部が、
ＣＤＭ復調器によりＣＤＭ復調された少なくとも１つ以上の放送チャネルのチャネル別放送データをビットデインターリーブする少なくとも１つ以上のビットデインターリーバと、
前記ビットデインターリーブされた少なくとも１つ以上の放送チャネルのチャネル別放送データのうち使用者が選択した放送チャネルの放送データを選択し、その放送データが復号化されるようにする選択部と、
を含むことを特徴とする衛星ＤＭＢ受信装置。
【請求項１７】
前記放送チャネルは、
使用者が視聴するために選択した放送チャネルと、
前記選択した放送チャネルの上位放送チャネル及び下位放送チャネルと、
を含むことを特徴とする請求項１６に記載の衛星ＤＭＢ受信装置。
【請求項１８】
前記ビットデインターリーバは、
使用者が視聴するために選択した現在放送チャネルの放送データをビットデインターリーブする現在放送チャネルビットデインターリーバと、
前記選択した放送チャネルの上位放送チャネル及び下位放送チャネルのチャネル別放送データをビットデインターリーブする上位放送チャネルビットデインターリーバ及び下位放送チャネルビットデインターリーバと、
を含むことを特徴とする請求項１６に記載の衛星ＤＭＢ受信装置。
【請求項１９】
前記各放送チャネル別のビットデインターリーバは、１対のビットデインターリーバからなることを特徴とする請求項１８に記載の衛星ＤＭＢ受信装置。
【請求項２０】
（ａ）少なくとも１つ以上の放送チャネルの放送データをＣＤＭ復調する過程と、
（ｂ）前記ＣＤＭ復調された少なくとも１つ以上の放送チャネルの放送データを復号化する過程と、
（ｃ）前記復号化された放送データのうち使用者が選択した放送チャネルの放送データを選択する過程と、
（ｄ）前記選択された放送チャネルの放送データを復号化し、逆多重化及び復号化処理して使用者が視聴可能な映像にする過程と、
を含むことを特徴とする衛星ＤＭＢ受信方法。
【請求項２１】
前記放送チャネルは、
使用者が視聴するために選択した放送チャネルと、
前記選択した放送チャネルの上位放送チャネル及び下位放送チャネルと、
を含むことを特徴とする請求項２０に記載の衛星ＤＭＢ受信方法。
【請求項２２】
前記過程（ａ）において、
前記放送データは、ウォルシュ符号化されていることを特徴とする請求項２０に記載の衛星ＤＭＢ受信方法。
【請求項２３】
前記過程（ｂ）において、
前記放送データは、各放送チャネル別にビットデインターリーブで復号化されることを特徴とする請求項２０に記載の衛星ＤＭＢ受信方法。
【請求項２４】
前記過程（ｄ）において、
前記選択された放送チャネルの放送データは、ビタビ復号器、バイトデインターリーバ、及びリードソロモン復号器により復号化されることを特徴とする請求項２０に記載の衛星ＤＭＢ受信方法。
【請求項２５】
（ｅ）使用者が選択した放送チャネルのビデオ放送を視聴しているときに、上位放送チャネル又は下位放送チャネルにチャネルを切り替える過程と、
（ｆ）前記放送チャネルの切替により追加される放送チャネルの放送データを復号化する過程と、
（ｇ）前記放送チャネルの切替により選択された放送チャネルのデータを復号化し、逆多重化及び復号化処理して使用者が視聴可能な映像にする過程と、
をさらに含むことを特徴とする請求項２０に記載の衛星ＤＭＢ受信方法。
【請求項２６】
前記過程（ｆ）において、前記追加される放送チャネルの放送データをＣＤＭ復調し、前記復調された放送データをビットデインターリーブすることを特徴とする請求項２５に記載の衛星ＤＭＢ受信方法。
【発明の詳細な説明】
【技術分野】
【０００１】
本発明は、衛星デジタルマルチメディア放送（Digital Multimedia Broadcasting：ＤＭＢ）に関し、特に、ビデオ放送のチャネル切替の遅延時間を最小化するシステムＥ方式の衛星ＤＭＢ受信装置及び方法に関する。
【背景技術】
【０００２】
一般に、ＤＭＢとは、オーディオサービスのみが提供されるＤＡＢ（Digital Audio Broadcasting）より向上したデジタル放送技術であって、複数のチャネルでオーディオ、ビデオデータサービスを包括して提供する通信サービスをいう。
【０００３】
このようなＤＭＢは、移動中の個人用携帯情報端末（ＰＤＡ）や車両用端末にもＣＤ、ＤＶＤ級の高音質、高画質放送などを提供する。このようなＤＭＢサービスを提供するシステムの方式としては、システムＡ、システムＤｈ、及びシステムＥがある。
【０００４】
このようなＤＭＢシステムのうち、システムＡは、デジタル衛生放送、及び地上波ＤＭＢのヨーロッパ式デジタル放送規格である直交周波数分割多重（Orthogonal Frequency Division Multiplexing：ＯＦＤＭ）に従い、システムＤｈは、地上波ＤＭＢをベースに衛星ＤＭＢを取り入れた混合方法を用い、システムＥは、符号分割多重（CodeDivision Multiplexing：ＣＤＭ）方式を用い、衛星ＤＭＢに適用される。
【０００５】
図６は、従来のシステムＥ方式の衛星ＤＭＢ受信装置の構成を示すブロック図である。
【０００６】
図６に示すように、従来の衛星ＤＭＢ受信装置は、チューナー１１１、１１２と、ＣＤＭ復調器１２０と、放送情報チャネル復号部１３０と、放送データチャネル復号部１４０と、パイロットチャネル復号部１５０と、逆多重化器１６０と、デコーダ１７０とを含む。
【０００７】
チューナー１１１、１１２は、衛星ＤＭＢ信号をベースバンド信号に復調してＣＤＭ復調器１２０に伝送し、ＣＤＭ復調器１２０は、チューナー１１１、１１２から受信された信号（５つのウォルシュコード）をＣＤＭ復調し、５つのウォルシュコードのうち、２つのウォルシュコードに割り当てられて伝送されたＰＳＩ（Program Specification Information）及びＳＩ（Service Information）などの放送情報を抽出して放送情報チャネル復号部１３０に提供し、他の２つのウォルシュコードに割り当てられて伝送されたビデオ及びオーディオなどの放送データ情報を抽出して放送データチャネル復号部１４０に提供し、残りの１つのウォルシュコードに割り当てられて伝送された受信装置の制御情報を抽出してパイロットチャネル復号部１５０に提供する。
【０００８】
各復号部１３０、１４０、１５０は、ＣＤＭ復調器１２０から各ウォルシュコードで受信された情報をそれぞれ復号化する。また、各復号部１３０、１４０は、復号化された情報を逆多重化器１６０に出力する。
【０００９】
逆多重化器１６０は、各復号部１３０、１４０からの情報を逆多重化してデコーダ１７０に出力し、デコーダ１７０は、逆多重化された信号を復号化して、使用者が選択したチャネルで放送される映像を出力する。
【００１０】
図６に示すように、従来の衛星ＤＭＢ受信装置の放送データチャネル復号部１４０は、ビットデインターリーバ１４１と、ビタビ復号器１４２と、バイトデインターリーバ１４３と、リードソロモン復号器１４４とから構成されるが、各構成要素が２つのウォルシュコードを復号化できるように１対の構造を有する。
【００１１】
即ち、放送データチャネル復号部１４０は、放送チャネルの放送データをビットデインターリーブするビットデインターリーバ１４１と、前記ビットデインターリーブされた放送チャネルの放送データを復号化するビタビ復号器１４２と、前記復号化された放送データをバイトデインターリーブするバイトデインターリーバ１４３と、前記バイトデインターリーブされた放送データを復号化するリードソロモン復号器１４４とから構成される。
【００１２】
前記一連の復号器１４１〜１４４により復号化された放送データは、逆多重化器１６０により逆多重化されてデコーダ１７０に出力され、デコーダ１７０は、前記逆多重化された信号を復号化して視聴可能なビデオ放送信号を出力する。
【００１３】
しかしながら、使用者が特定ビデオ放送チャネルの視聴中に他の放送チャネルにチャネルを切り替えると、ＣＤＭ復調器１２０は、使用者が選択した放送チャネルに該当するウォルシュコードを再びＣＤＭ復調し、そのＣＤＭ復調された放送信号を復号化しなければならない。特に、そのＣＤＭ復調された放送信号の復号化過程中のビットデインターリーブの所要時間は、最小２６４ｍｓｅｃから最大６．５１４ｓｅｃの範囲内であり、一般的に約３．２５７ｓｅｃである。
【００１４】
従って、使用者が衛星ＤＭＢ受信装置の放送チャネルを切り替えると、ほぼ５〜８秒のチャネル切替の時間遅延が必然的に発生するため、使用者は所望の放送チャネルで提供されるビデオ放送の視聴に不便を感じるという問題があった。
【発明の開示】
【発明が解決しようとする課題】
【００１５】
本発明は、このような従来技術の問題を解決するためになされたもので、ビデオ放送のチャネル切替の遅延時間を最小化する衛星ＤＭＢ受信装置及び方法を提供することを目的とする。
【課題を解決するための手段】
【００１６】
上記の目的を達成するために、本発明による衛星ＤＭＢ受信装置は、ウォルシュコードに符号化された放送データをＣＤＭ復調するＣＤＭ復調器と符号化された放送データを復号化する放送データチャネル復号部とを備えた衛星ＤＭＢ受信装置において、少なくとも１つ以上の放送チャネルのウォルシュコードをＣＤＭ復調するＣＤＭ復調器と、前記ＣＤＭ復調器から伝送された少なくとも１つ以上の放送チャネルのチャネル別放送データを復号化し、使用者が視聴しようとする放送チャネルを選択する放送データチャネル復号部とを含むことを特徴とする。
【００１７】
好ましくは、前記放送データチャネル復号部は、少なくとも１つ以上の放送チャネルのチャネル別放送データを復号化する第１の復号部と、前記第１の復号部により復号化された放送チャネルの放送データのうち使用者が選択した放送チャネルの放送データを選択して、復号化過程が行われるようにする選択部とを含む。
【００１８】
好ましくは、前記放送データチャネル復号部は、前記選択部により選択された放送チャネルの放送データを復号化するための第２の復号部をさらに含む。
【００１９】
また、上記の目的を達成するために、本発明による衛星ＤＭＢ受信方法は、（ａ）少なくとも１つ以上の放送チャネルの放送データをＣＤＭ復調する過程と、（ｂ）前記ＣＤＭ復調された少なくとも１つ以上の放送チャネルの放送データを復号化する過程と、（ｃ）前記復号化された放送データのうち使用者が選択した放送チャネルの放送データを選択する過程と、（ｄ）前記選択された放送チャネルの放送データを復号化し、逆多重化及び復号化処理して使用者が視聴可能な映像にする過程とを含むことを特徴とする。
【００２０】
上記目的を達成するために、本発明は、例えば、以下の手段を提供する。
（項目１）
ウォルシュコードに符号化された放送データをＣＤＭ復調するＣＤＭ復調器と符号化された放送データを復号化する放送データチャネル復号部とを備えた衛星ＤＭＢ受信装置において、
少なくとも１つ以上の放送チャネルのウォルシュコードをＣＤＭ復調するＣＤＭ復調器と、
前記ＣＤＭ復調器から伝送された少なくとも１つ以上の放送チャネルのチャネル別放送データを復号化し、使用者が視聴しようとする放送チャネルを選択する放送データチャネル復号部と、
を含むことを特徴とする衛星ＤＭＢ受信装置。
（項目２）
前記放送チャネルは、
使用者が視聴するために選択した放送チャネルと、
前記選択した放送チャネルの上位放送チャネル及び下位放送チャネルと、
を含むことを特徴とする項目１に記載の衛星ＤＭＢ受信装置。
（項目３）
前記ＣＤＭ復調器は、６つのウォルシュコードをＣＤＭ復調した放送データを、前記放送データチャネル復号部にチャネル別に伝送することを特徴とする項目１に記載の衛星ＤＭＢ受信装置。
（項目４）
前記放送データチャネル復号部は、
少なくとも１つ以上の放送チャネルのチャネル別放送データを復号化する第１の復号部と、
前記第１の復号部により復号化された放送チャネルの放送データのうち使用者が選択した放送チャネルの放送データを選択して、復号化過程が行われるようにする選択部と、
を含むことを特徴とする項目１に記載の衛星ＤＭＢ受信装置。
（項目５）
前記第１の復号部は、２つのウォルシュコードから復調された放送データを復号化するために、１対の構造からなることを特徴とする項目４に記載の衛星ＤＭＢ受信装置。
（項目６）
前記第１の復号部は、使用者が視聴するために選択した放送チャネル、前記選択した放送チャネルの上位放送チャネル及び下位放送チャネルのチャネル別放送データを復号化することを特徴とする項目４に記載の衛星ＤＭＢ受信装置。
（項目７）
前記第１の復号部は、３つの放送チャネルの放送データをビットデインターリーブするもので、チャネル別に区分されたビットデインターリーバで構成されることを特徴とする項目４に記載の衛星ＤＭＢ受信装置。
（項目８）
前記ビットデインターリーバは、１対のビットデインターリーバからなることを特徴とする項目７に記載の衛星ＤＭＢ受信装置。
（項目９）
前記第１の復号部は、少なくとも１つ以上の復号器からなることを特徴とする項目４に記載の衛星ＤＭＢ受信装置。
（項目１０）
前記復号器は、
ビットデインターリーバと、
ビタビ復号器と、
バイトデインターリーバと、
リードソロモン復号器と、
から構成されることを特徴とする項目９に記載の衛星ＤＭＢ受信装置。
（項目１１）
前記復号器は、少なくとも１つ以上の復号器が１対の構造からなることを特徴とする項目９に記載の衛星ＤＭＢ受信装置。
（項目１２）
前記放送データチャネル復号部は、前記選択部により選択された放送チャネルの放送データを復号化するための第２の復号部をさらに含むことを特徴とする項目４に記載の衛星ＤＭＢ受信装置。
（項目１３）
前記第２の復号部は、
ビタビ復号器と、
バイトデインターリーバと、
リードソロモン復号器と、
から構成されることを特徴とする項目１２に記載の衛星ＤＭＢ受信装置。
（項目１４）
前記第２の復号部を構成する各復号器は、１対の構造からなることを特徴とする項目１３に記載の衛星ＤＭＢ受信装置。
（項目１５）
前記選択部は、前記第１の復号部により復号化された３つの放送チャネルの放送データのうち使用者が選択した放送チャネルの放送データを第２の復号部に伝送することを特徴とする項目４に記載の衛星ＤＭＢ受信装置。
（項目１６）
ウォルシュコードに符号化された放送データをＣＤＭ復調するＣＤＭ復調器と符号化された放送データを復号化する放送データチャネル復号部とを備えた衛星ＤＭＢ受信装置において、
放送データチャネル復号部が、
ＣＤＭ復調器によりＣＤＭ復調された少なくとも１つ以上の放送チャネルのチャネル別放送データをビットデインターリーブする少なくとも１つ以上のビットデインターリーバと、
前記ビットデインターリーブされた少なくとも１つ以上の放送チャネルのチャネル別放送データのうち使用者が選択した放送チャネルの放送データを選択し、その放送データが復号化されるようにする選択部と、
を含むことを特徴とする衛星ＤＭＢ受信装置。
（項目１７）
前記放送チャネルは、
使用者が視聴するために選択した放送チャネルと、
前記選択した放送チャネルの上位放送チャネル及び下位放送チャネルと、
を含むことを特徴とする項目１６に記載の衛星ＤＭＢ受信装置。
（項目１８）
前記ビットデインターリーバは、
使用者が視聴するために選択した現在放送チャネルの放送データをビットデインターリーブする現在放送チャネルビットデインターリーバと、
前記選択した放送チャネルの上位放送チャネル及び下位放送チャネルのチャネル別放送データをビットデインターリーブする上位放送チャネルビットデインターリーバ及び下位放送チャネルビットデインターリーバと、
を含むことを特徴とする項目１６に記載の衛星ＤＭＢ受信装置。
（項目１９）
前記各放送チャネル別のビットデインターリーバは、１対のビットデインターリーバからなることを特徴とする項目１８に記載の衛星ＤＭＢ受信装置。
（項目２０）
（ａ）少なくとも１つ以上の放送チャネルの放送データをＣＤＭ復調する過程と、
（ｂ）前記ＣＤＭ復調された少なくとも１つ以上の放送チャネルの放送データを復号化する過程と、
（ｃ）前記復号化された放送データのうち使用者が選択した放送チャネルの放送データを選択する過程と、
（ｄ）前記選択された放送チャネルの放送データを復号化し、逆多重化及び復号化処理して使用者が視聴可能な映像にする過程と、
を含むことを特徴とする衛星ＤＭＢ受信方法。
（項目２１）
前記放送チャネルは、
使用者が視聴するために選択した放送チャネルと、
前記選択した放送チャネルの上位放送チャネル及び下位放送チャネルと、
を含むことを特徴とする項目２０に記載の衛星ＤＭＢ受信方法。
（項目２２）
前記過程（ａ）において、
前記放送データは、ウォルシュ符号化されていることを特徴とする項目２０に記載の衛星ＤＭＢ受信方法。
（項目２３）
前記過程（ｂ）において、
前記放送データは、各放送チャネル別にビットデインターリーブで復号化されることを特徴とする項目２０に記載の衛星ＤＭＢ受信方法。
（項目２４）
前記過程（ｄ）において、
前記選択された放送チャネルの放送データは、ビタビ復号器、バイトデインターリーバ、及びリードソロモン復号器により復号化されることを特徴とする項目２０に記載の衛星ＤＭＢ受信方法。
（項目２５）
（ｅ）使用者が選択した放送チャネルのビデオ放送を視聴しているときに、上位放送チャネル又は下位放送チャネルにチャネルを切り替える過程と、
（ｆ）前記放送チャネルの切替により追加される放送チャネルの放送データを復号化する過程と、
（ｇ）前記放送チャネルの切替により選択された放送チャネルのデータを復号化し、逆多重化及び復号化処理して使用者が視聴可能な映像にする過程と、
をさらに含むことを特徴とする項目２０に記載の衛星ＤＭＢ受信方法。
（項目２６）
前記過程（ｆ）において、前記追加される放送チャネルの放送データをＣＤＭ復調し、前記復調された放送データをビットデインターリーブすることを特徴とする項目２５に記載の衛星ＤＭＢ受信方法。
【発明の効果】
【００２１】
本発明による衛星ＤＭＢ受信装置及び方法においては、互いに異なる３つの放送チャネルを同時にビットデインターリーブする方法を提案して、ビットデインターリーバで放送データが復号化されるときに生じる遅延時間を大幅に減らすことにより、全体的にチャネル切替時に生じる遅延時間を減らすことができるという効果がある。
【００２２】
また、このように放送チャネル切替の遅延時間を減らすことによって、使用者は、現在放送チャネルから上位放送チャネル又は下位放送チャネルにチャネルを切り替えても、時間遅延のない自然な放送視聴が可能であるという効果がある。
【発明を実施するための最良の形態】
【００２３】
以下、添付の図面を参照して本発明の好ましい実施形態を説明する。
【００２４】
本発明の基本概念は、ビデオ放送チャネルの放送データのビットデインターリーブの所要時間を減らすことにより、衛星ＤＭＢ受信装置のチャネル切替による遅延時間を最小化して、便利な放送視聴を提供することにある。
【００２５】
図１は、本発明の第１実施形態によるシステムＥ方式の衛星ＤＭＢ受信装置の構成を示すブロック図である。
【００２６】
図１に示す本発明の第１実施形態によるシステムＥ方式の衛星ＤＭＢ受信装置は、図６に示す従来のシステムＥ方式の衛星ＤＭＢ受信装置と技術的構成要素面で比較してみると、放送データチャネル復号部の技術的構成が異なり、その他の構成要素は同様である。従って、従来と同一構成要素には同一符号を付する。
【００２７】
図１に示すように、本発明による衛星ＤＭＢ受信装置の放送データチャネル復号部２００は、ＣＤＭ復調された放送データをビットデインターリーブする３つのビットデインターリーバ１４１と、３つのビットデインターリーバ１４１によりビットデインターリーブされた３つの放送データのうち、使用者が選択したチャネルの放送データをビタビ復号器１４２に伝送する選択部２１０と、選択部２１０から伝送された放送データを復号化する一連の復号器（即ち、ビタビ復号器１４２、バイトデインターリーバ１４３、及びリードソロモン復号器１４４）とを含む。また、一連の復号器１４１〜１４４は、２つのウォルシュコードを復号化できるように、１対の復号器からなる。
【００２８】
以下、このように構成された本発明による衛星ＤＭＢ受信装置の動作を説明する。ただし、記載の簡潔性のために従来技術と同様の部分についての記載は省略する。また、ＤＭＢ放送チャネルは、ビデオ、オーディオ及びデータ放送チャネルからなるが、以下ではビデオ放送チャネルに焦点を当てて説明する。
【００２９】
図１を参照すると、使用者が放送を視聴するために放送チャネルを選択した場合、チューナーは、高周波の衛星ＤＭＢ信号を受信してベースバンド信号に復調した後、ＣＤＭ復調器２２０に伝送する。このとき、ＣＤＭ復調器２２０が前記チューナーから受信する信号は、ウォルシュコードに符号化された放送データである。ＣＤＭ復調器２２０は、３つの放送チャネルに該当するウォルシュコードに符号化された３つの放送チャネルの各放送データをＣＤＭ復調して、ビットストリーム構造の放送データを抽出し、チャネル別に３つのビットデインターリーバ１４１に送る。
【００３０】
もし、前記３つの放送チャネルが全てビデオ放送チャネルの場合、１つの放送チャネルで伝送された放送データは２つのウォルシュコードに符号化された構造であり、これにより、ＣＤＭ復調器２２０は、６つのウォルシュコードをＣＤＭ復調することになる。ＣＤＭ復調器２２０は、そのＣＤＭ復調された３つの放送チャネルに該当する放送データを、放送データチャネル復号部２００内の３つのビットデインターリーバ１４１に送る。すると、１対の構造からなる３つのビットデインターリーバ１４１は、前記ＣＤＭ復調されたビットストリーム構造の放送データをビットデインターリーブする復号化作業をチャネル別に行う。
【００３１】
ここで、前記３つの放送チャネルは、使用者が視聴しようとする現在放送チャネル、前記現在放送チャネルの上位放送チャネル及び下位放送チャネルからなる。
【００３２】
選択部２１０は、使用者が選択した放送チャネルに該当する放送データをビタビ復号器１４２に出力して、一連の復号化過程が行われるようにする。即ち、選択部２１０から出力された放送データは、ビタビ復号器１４２、バイトデインターリーバ１４３、及びリードソロモン復号器１４４を通過して一連の復号化過程を経た後、逆多重化及び復号化されて、ＤＭＢ受信装置の使用者が視聴可能な映像に処理される。
【００３３】
もし、使用者が、視聴中の現在放送チャネルから、上位放送チャネル又は下位放送チャネルのいずれか１つの放送チャネルにチャネルを切り替えると、その切り替えられた放送チャネルが使用者が視聴する現在放送チャネルとなり、その現在放送チャネルを中心に、上位放送チャネル及び下位放送チャネルが再設定される。再設定された３つの放送チャネルに該当する放送データは、ＣＤＭ復調されて各ビットデインターリーバ１４１に送られ、各放送チャネル別にビットデインターリーブされる復号化過程が行われる。
【００３４】
図２は、本発明によるウォルシュコードが割り当てられたＤＭＢ受信装置の放送チャネルを示すチャネル編成表である。
【００３５】
図２を参照すると、放送チャネルがビデオ放送チャネル（例えば、ＣＨ３）であれば、該当放送チャネル当たり２つのウォルシュコード（例えば、Ｗ２１及びＷ２２）が割り当てられ、オーディオ放送チャネルであれば、通常３つのオーディオ放送チャネル（例えば、ＣＨ４、ＣＨ５、ＣＨ６）に１つのウォルシュコード（例えば、Ｗ１０）が割り当てられる。
【００３６】
図２に示すように、使用者が現在放送チャネルＣＨ８を視聴していると、放送チャネルＣＨ９が上位放送チャネルとなり、放送チャネルＣＨ７が下位放送チャネルとなる。また、現在放送チャネルＣＨ８の現在ウォルシュコードはＷ１４及びＷ１５であり、上位放送チャネルＣＨ９の上位ウォルシュコードはＷ１６及びＷ１７であり、下位放送チャネルＣＨ７の下位ウォルシュコードはＷ１１及びＷ１２である。
【００３７】
図３は、本発明による放送チャネルをプリセットしたチャネル編成表であり、図２の放送チャネル編成表に示すビデオ放送チャネルのうち使用者が好みの放送チャネルのみを選択してプリセットした実施形態である。
【００３８】
使用者が好みの放送チャネルをプリセットした場合、使用者がプリセットした放送チャネルのうち視聴しようとする放送チャネルにチャネルを切り替えるとき、便利にチャネルを変えることができる。
【００３９】
図３に示すように、使用者が現在放送チャネルＣＨ８を視聴していると、放送チャネルＣＨ１０が上位放送チャネルとなり、放送チャネルＣＨ７が下位放送チャネルとなる。また、現在放送チャネルＣＨ８の現在ウォルシュコードはＷ１４及びＷ１５であり、上位放送チャネルＣＨ１０の上位ウォルシュコードはＷ１８及びＷ１９であり、下位放送チャネルＣＨ７の下位ウォルシュコードはＷ１１及びＷ１２である。
【００４０】
図４は、本発明による放送チャネル切替の遅延時間を最小化するための衛星ＤＭＢ受信方法を示すフローチャートである。
【００４１】
以下、図１〜図４を参照して、放送チャネル切替の遅延時間を最小化するための本発明による衛星ＤＭＢ受信方法を説明する。
【００４２】
チューナーは、ダイバーシティ又は単一経路を通じてアンテナに受信される高周波ＤＭＢ信号をベースバンド信号に変えて、ＣＤＭ復調器２２０に伝送する（Ｓ１０）。ここで、ベースバンド信号は、ウォルシュコードに符号化された信号である。
【００４３】
このとき、使用者が視聴しようとする放送チャネル（例えば、図２においてＣＨ８）を選択すると（Ｓ２０）、ＣＤＭ復調器２２０は、使用者が選択した現在放送チャネルのウォルシュコード（例えば、図２においてＷ１４及びＷ１５）、その現在放送チャネルの上位放送チャネル（例えば、図２においてＣＨ９）のウォルシュコード（例えば、図２においてＷ１６及びＷ１７）、及びその現在放送チャネルの下位放送チャネル（例えば、図２においてＣＨ７）のウォルシュコード（例えば、図２においてＷ１１及びＷ１２）をＣＤＭ復調して、チャネル別に放送データを抽出し（Ｓ３０）、ＣＤＭ復調されたチャネル別放送データのうち使用者が選択した現在放送チャネル（例えば、図２においてＣＨ８）、現在放送チャネルの上位放送チャネル（例えば、図２においてＣＨ９）及び下位放送チャネル（例えば、図２においてＣＨ７）の放送データを、チャネル別に区分して３つのビットデインターリーバ１４１に伝送する（Ｓ４０）。
【００４４】
各ビットデインターリーバ１４１は、伝送された各チャネルの放送データをビットデインターリーブする復号化過程を行い、その復号化された放送データを選択部２１０に伝送する（Ｓ５０）。選択部２１０は、伝送された各チャネルの放送データのうち使用者が選択した現在放送チャネル（例えば、図２においてＣＨ８）の放送データのみを選択してビタビ復号器１４２に伝送する（Ｓ６０）。
【００４５】
前記過程Ｓ６０において、ビタビ復号器１４２に伝送された放送データは、従来のように、バイトデインターリーバ１４３及びリードソロモン復号器１４４により一連の放送データ復号化を経た後、逆多重化及び復号化過程により、使用者が選択した現在放送チャネル（例えば、図２においてＣＨ８）が提供するビデオ放送として視聴可能になる（Ｓ７０）。
【００４６】
使用者は、前記選択した現在放送チャネル（例えば、図２においてＣＨ８）の映像を視聴しているときに、他の放送チャネルを視聴するために上位放送チャネル（例えば、図２においてＣＨ９）又は下位放送チャネル（例えば、図２においてＣＨ７）にチャネルを切り替えることができる（Ｓ８０）。このとき、使用者が上位放送チャネル（図２においてＣＨ９）にチャネルを切り替えたと仮定すると、ＣＤＭ復調器２２０は、新しく追加される上位放送チャネル（図２においてＣＨ１０）の２つのウォルシュコード（図２においてＷ１８及びＷ１９）をＣＤＭ復調して該当放送データを抽出し、ビットデインターリーバ１４１に伝送し、ビットデインターリーバ１４１は、ビットデインターリーブを行った後、前記ＣＤＭ復調された放送データを選択部２１０に伝送する（Ｓ９０）。また、使用者がチャネルを切り替えて選択した放送チャネル（図２においてＣＨ９）は現在放送チャネルに再設定され、その現在放送チャネルの放送データは、前記過程Ｓ６０〜Ｓ７０により復号化されて、使用者はその現在放送チャネルが提供する映像を視聴することになる。
【００４７】
このように、図４に示す放送チャネル切替の遅延時間を最小化するための衛星ＤＭＢ受信装置の受信方法に関する一連の過程は、図３のプリセットしたチャネル編成表にも同様に適用される。
【００４８】
また、前述した本発明の実施形態は、ビデオ放送チャネルに焦点を当てて説明したが、本発明の技術思想は、オーディオ及びデータ放送チャネルが混合したチャネル編成にも適用される。ただし、オーディオ放送チャネルの場合、通常、３つのオーディオ放送チャネル（例えば、図２においてＣＨ４〜ＣＨ６）に１つのウォルシュコード（例えば、図２においてＷ１０）が割り当てられるため、現在放送チャネル（例えば、図２においてＣＨ５）から上位放送チャネル（例えば、図２においてＣＨ６）又は下位放送チャネル（例えば、図２においてＣＨ４）にチャネルを切り替えても、その切り替えられた放送チャネル（例えば、図２においてＣＨ４又はＣＨ６）のウォルシュコード（図２においてＷ１０）が以前の放送チャネル（図２においてＣＨ５）のウォルシュコード（図２においてＷ１０）と同一である。従って、このような場合は、チャネル切替によって新しく追加される放送チャネルのウォルシュコードをＣＤＭ復調及びビットデインターリーブする必要がない。
【００４９】
図５は、本発明の第２実施形態によるシステムＥ方式の衛星ＤＭＢ受信装置の構成を示すブロック図である。
【００５０】
図５に示す本発明の第２実施形態による衛星ＤＭＢ受信装置は、図６に示す従来技術と比較してみると、放送データチャネル復号部２００の技術的構成が異なり、その他の構成要素は同様である。従って、従来と同一構成要素には同一符号を付する。
【００５１】
図５に示すように、本発明による衛星ＤＭＢ受信装置の放送データチャネル復号部２００は、３つの放送チャネルに区分されてチャネル別放送データの一連の復号化過程を行う、同一の構成を有する放送データチャネル復号部１４０ａ、１４０ｂ、１４０ｃと、選択部２１０とを含む。
【００５２】
３つの放送チャネルに区分されている放送データチャネル復号部１４０ａ、１４０ｂ、１４０ｃは、使用者が選択した現在放送チャネルの放送データを復号化する現在放送データチャネル復号部１４０ａと、その選択した現在放送チャネルの上位放送チャネル及び下位放送チャネルの放送データを復号化する上位放送データチャネル復号部１４０ｂ及び下位放送データチャネル復号部１４０ｃとを含む。
【００５３】
また、選択部２１０は、各チャネル別の放送データチャネル復号部１４０ａ、１４０ｂ、１４０ｃにより復号化された放送データのうち、使用者が選択した放送チャネルの放送データのみを抽出して逆多重化器に出力する。
【００５４】
特に、各チャネル別の放送データチャネル復号部１４０ａ、１４０ｂ、１４０ｃは、図６に示す従来技術の構成要素である放送データチャネル復号部１４０とその構成及び動作が同様である。ただし、本発明の実施形態は、３つの放送チャネルの放送データを同時に復号化できるという点と、その復号化された放送データのうち使用者が選択した放送チャネルの放送データのみが逆多重化及び復号化されて、その選択した放送チャネルで提供するビデオ放送を視聴できるという点が異なる。
【００５５】
その他、図３のチャネル編成表に基づいて使用者が放送チャネルを切り替える場合も、図４に示す過程と同様の過程が適用される。
【００５６】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００５７】
ビデオ放送のチャネル切替の遅延時間を最小化する衛星ＤＭＢ受信装置及び方法を提供する。
【００５８】
衛星ＤＭＢ受信装置は、少なくとも１つ以上の放送チャネルのウォルシュコードをＣＤＭ復調するＣＤＭ復調器２２０と、ＣＤＭ復調器２２０から伝送された少なくとも１つ以上の放送チャネルのチャネル別放送データを復号化し、使用者が視聴しようとする放送チャネルを選択する放送データチャネル復号部２００とを含む。
【図面の簡単な説明】
【００５９】
【図１】本発明の第１実施形態によるシステムＥ方式の衛星ＤＭＢ受信装置の構成を示すブロック図である。
【図２】本発明によるウォルシュコードが割り当てられたＤＭＢ受信装置の放送チャネルを示すチャネル編成表である。
【図３】本発明による放送チャネルをプリセットしたチャネル編成表である。
【図４】本発明による放送チャネル切替の遅延時間を最小化するための衛星ＤＭＢ受信方法を示すフローチャートである。
【図５】本発明の第２実施形態によるシステムＥ方式の衛星ＤＭＢ受信装置の構成を示すブロック図である。
【図６】従来のシステムＥ方式の衛星ＤＭＢ受信装置の構成を示すブロック図である。
【符号の説明】
【００６０】
１１１、１１２  チューナー
１２０、２２０  ＣＤＭ復調器
１３０  放送情報チャネル復号部
１４０ａ  現在放送データチャネル復号部
１４０ｂ  上位放送データチャネル復号部
１４０ｃ  下位放送データチャネル復号部
２００  放送データチャネル復号部
１５０  パイロットチャネル復号部
２１０  選択部
【図１】
2006081176.tif 000003
【図４】
2006081176.tif 000004
【図５】
2006081176.tif 000005
【図６】
2006081176.tif 000006
【図２】
2006081176.tif 000007
【図３】
2006081176.tif 000008